(57)【要約】【課題】  安価な自動車用排気系熱交換器を簡単な処理で得ることができる自動車用排気系熱交換器の製造方法を提供すること。【解決手段】  熱交換器１０を、仮組み付け工程と、熱交換器本体形成工程と、無電解メッキ工程とで製造した。仮組み付け工程では、それぞれ鉄材からなる外管１１、導入側整流筒部１４、導出側整流筒部１５、導入側フランジ１６、導出側フランジ１７、冷却水流入管１８、冷却水流出管１９および複数の伝熱管２０の接続部分にロウ材を塗布してこれらを組み付けた。熱交換器本体形成工程では、仮組み付けされた複数の部材を熱処理して熱交換器本体１０ａを形成した。そして、無電解メッキ工程では、熱交換器本体１０ａを、メッキ液に複数回浸漬して、熱交換器本体１０ａの各内外面にメッキ層２５ａ，２５ｂ，２５ｃを形成した。【選択図】  図１
2018048354.tif 000002
【特許請求の範囲】
【請求項１】
鉄材からなる複数の部材で構成される自動車用排気系熱交換器の製造方法であって、
前記複数の部材の接続部分にロウ材を塗布して組み付ける仮組み付け工程と、
前記仮組み付けされた複数の部材に熱処理を施すことによりロウ材塗布部をロウ付け接合して熱交換器本体を形成する熱交換器本体形成工程と、
前記熱交換器本体を、無電解ニッケル−リンメッキ液に複数回浸漬して、前記熱交換器本体の各内外面に無電解ニッケル−リン層を複数層形成する無電解メッキ工程と
を備えたことを特徴とする自動車用排気系熱交換器の製造方法。
【請求項２】
前記無電解ニッケル−リンメッキ液に含まれるリンの含有量が９％〜１３％である請求項１に記載の自動車用排気系熱交換器の製造方法。
【請求項３】
前記複数層形成された無電解ニッケル−リン各層の厚みは１μｍ〜５μｍである請求項１または２に記載の自動車用排気系熱交換器の製造方法。
【請求項４】
前記熱交換器本体を、隙間を介して積層されそれぞれが一端から他端に向かって排気ガスを通過させる複数の伝熱管と、前記複数の伝熱管を収容する外管と、前記外管の一端に設けられ前記複数の伝熱管の一端に連通する排気ガス導入部と、前記外管の他端に設けられ前記複数の伝熱管の他端に連通する排気ガス導出部と、前記外管の側部に設けられた冷却水流入管と、前記外管の側部に設けられ、前記外管と前記伝熱管との間および前記複数の伝熱管の隙間を介して前記冷却水流入管に連通する冷却水流出管とで形成し、
無電解メッキ工程において、無電解ニッケル−リン層が成膜された後に、前記排気ガス導入部もしくは前記排気ガス導出部を下側に位置させて、連通した経路に付着した無電解ニッケル−リンメッキ液を下方に落下させる操作と、前記冷却水流入管もしくは前記冷却水流出管を下側に位置させて、連通した経路に付着した無電解ニッケル−リンメッキ液を下方に落下させる操作とが行われる請求項１ないし３のうちのいずれか一つに記載の自動車用排気系熱交換器の製造方法。
【請求項５】
前記無電解メッキ工程において、前記熱交換器本体を無電解ニッケル−リンメッキ液に浸漬するたびに、前記熱交換器本体を水洗いまたは大気中に放置する処理が行われる請求項１ないし４のうちのいずれか一つに記載の自動車用排気系熱交換器の製造方法。
【発明の詳細な説明】
【技術分野】
【０００１】
本発明は、内外面に無電解ニッケル−リン層を形成した自動車用排気系熱交換器の製造方法に関する。
【背景技術】
【０００２】
従来から、自動車用排気系熱交換器の内外面にはメッキ層が形成されており、このメッキ層によって腐食が防止されている。このような自動車用排気系熱交換器の中に、無電解ニッケル−リンを用いたメッキ層が形成されたものがあり、このメッキ層は、耐摩耗性に優れているとともに、複雑な形状の基材に対して均一な厚みで形成することができる（例えば、特許文献１参照）。
【０００３】
この自動車用排気系熱交換器（高耐蝕性熱交換器）の製造においては、まず、ステンレス材からなる各部材の表面に無電解メッキにより、リン含有ニッケル合金皮膜を形成したのちに、これらの各部材を組み立てて、熱交換器組み立て体を形成している。つぎに、その熱交換器組み立て体を真空炉内で加熱し、リン含有ニッケル合金を各部材の表面から内部に拡散させて熱交換器組み立て体の表面にニッケル富裕化層を形成している。ついで、さらに真空炉の温度を上昇して、リン含有ニッケル合金皮膜を熔融させ、各部材の接触部間にリン含有ニッケル合金を保持させて熱交換器組み立て体を冷却することで、各部材をロウ付け固定している。このように、ステンレス材を用い、その表面にニッケル富裕化層を形成するとともに、各部材間をリン含有ニッケル合金でロウ付けすることにより、耐高温酸化性と耐蝕性を有する熱交換器が得られる。
【先行技術文献】
【特許文献】
【０００４】
【特許文献１】特開２００４−２０５０５９号公報
【発明の概要】
【０００５】
前述した熱交換器は、各部材がステンレス材で構成されているため高価になるという問題がある。また、ステンレス材の表面には安定した不働体皮膜が発生するため、ステンレス材の表面にメッキを施す場合は、不働体皮膜を除去して活性化し、メッキの密着をよくするためにストライクメッキなどの下地メッキが必要である。
【０００６】
本発明は、前述した問題に対処するためになされたもので、その目的は、安価な自動車用排気系熱交換器を簡単な処理で得ることができる自動車用排気系熱交換器の製造方法を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る自動車用排気系熱交換器の製造方法の構成上の特徴は、鉄材からなる複数の部材（１１，１４，１５，１６，１７，１８，１９，２０）で構成される自動車用排気系熱交換器（１０）の製造方法であって、複数の部材の接続部分（１１ａ，１４ｃ，１４ｄ，１５ｃ，１５ｄ，１６ｄ，１７ｄ，２１ｃ，２２ｃ）にロウ材を塗布して組み付ける仮組み付け工程と、仮組み付けされた複数の部材に熱処理を施すことによりロウ材塗布部をロウ付け接合して熱交換器本体（１０ａ）を形成する熱交換器本体形成工程と、熱交換器本体を、無電解ニッケル−リンメッキ液に複数回浸漬して、熱交換器本体の各内外面に無電解ニッケル−リン層（２５ａ，２５ｂ，２５ｃ）を複数層形成する無電解メッキ工程とを備えたことにある。
【０００８】
本発明に係る自動車用排気系熱交換器の製造方法では、自動車用排気系熱交換器を構成する複数の部材を鉄材で構成している。このため、自動車用排気系熱交換器の低コスト化が図れる。そして、自動車用排気系熱交換器の製造に際しては、複数の部材の接続部分にロウ材を塗布して仮組み付けしたのちに、熱処理して熱交換器本体を形成し、この熱交換器本体の各内外面に複数層の無電解ニッケル−リン層を形成している。前述した従来技術のように、自動車用排気系熱交換器を構成する各部材にメッキを施したのちに、各部材を組み付けてロウ付けすると、ロウ付けの熱処理の際に、鉄材からメッキ層に鉄が拡散してメッキ層の表面まで浸出すると、耐食性が低下するおそれが生じるが、本発明によると、このようなメッキ層の耐食性低下は生じなくなる。すなわち、本発明によると、無電解ニッケル−リン層に鉄部材から鉄が拡散することを防止できる。
【０００９】
また、鉄材はステンレス材と比較して不働体皮膜の除去が容易であるため、ストライクメッキのような処理は不要である。このため、自動車用排気系熱交換器の製造の簡易化が図れる。さらに、無電解ニッケル−リン層にはピンホールが生じやすいが、無電解ニッケル−リン層を複数層形成することで、自動車用排気系熱交換器の母材から無電解ニッケル−リン層の表面まで貫通したピンホールが発生することを防止できる。これによって、耐食性のよい無電解ニッケル−リン層を形成することができる。なお、本発明における鉄材としては、銑鉄、鋳鉄および鋼を含み、ステンレスなどの合金は除くものとする。
【００１０】
本発明に係る自動車用排気系熱交換器の製造方法の他の構成上の特徴は、無電解ニッケル−リンメッキ液に含まれるリンの含有量が９％〜１３％であることにある。
【００１１】
本発明では、無電解ニッケル−リンメッキ液に含まれるリンの含有量を、いわゆる中高リンまたは高リンといわれる９％〜１３％にして、熱交換器本体の各内外面に無電解ニッケル−リン層を形成するようにしている。これは、リンの含有量が多いほど表面のリンが不働体皮膜を形成することから無電解ニッケル−リン層は耐食性に優れたものになるからであり、これによると、自動車用排気系熱交換器の母材を鉄材で構成しても、その表面には、耐食性に優れた無電解ニッケル−リン層が形成されるため、長時間の使用に耐えることのできる自動車用排気系熱交換器を得ることができる。
【００１２】
本発明に係る自動車用排気系熱交換器の製造方法のさらに他の構成上の特徴は、複数層形成された無電解ニッケル−リン各層の厚みが１μｍ〜５μｍであることにある。本発明に係る値は実験によって得られたものであり、各無電解ニッケル−リン層の厚みを１μｍ〜５μｍにすることで、鉄材の表面に、耐食性に優れた無電解ニッケル−リン層を形成することができた。
【００１３】
本発明に係る自動車用排気系熱交換器の製造方法のさらに他の構成上の特徴は、熱交換器本体（１０ａ）を、隙間を介して積層されそれぞれが一端から他端に向かって排気ガスを通過させる複数の伝熱管（２０）と、複数の伝熱管を収容する外管（１１）と、外管の一端に設けられ複数の伝熱管の一端に連通する排気ガス導入部（１４，１６）と、外管の他端に設けられ複数の伝熱管の他端に連通する排気ガス導出部（１５，１７）と、外管の側部に設けられた冷却水流入管（１８）と、外管の側部に設けられ、外管と伝熱管との間および複数の伝熱管の隙間を介して冷却水流入管に連通する冷却水流出管（１９）とで形成し、無電解メッキ工程において、無電解ニッケル−リン層が成膜された後に、排気ガス導入部もしくは排気ガス導出部を下側に位置させて、連通した経路に付着した無電解ニッケル−リンメッキ液を下方に落下させる操作と、冷却水流入管もしくは冷却水流出管を下側に位置させて、連通した経路に付着した無電解ニッケル−リンメッキ液を下方に落下させる操作とが行われることにある。
【００１４】
熱交換器本体を構成する各部材を個々にメッキ処理する場合は、各部材を無電解ニッケル−リンメッキ液に浸漬したのちに、無電解ニッケル−リンメッキ液から取り出すと、各部材内の無電解ニッケル−リンメッキ液は下方に流れ出て各部材内に溜まった状態にはならない。しかしながら、各部材を組み付けて形成された熱交換器本体を無電解ニッケル−リンメッキ液に浸漬したのちに、無電解ニッケル−リンメッキ液から取り出すと、熱交換器本体の形状が複雑になるため、熱交換器本体の内部に無電解ニッケル−リンメッキ液が溜まってしまうおそれがある。この場合、熱交換器本体の向きを変えながら無電解ニッケル−リンメッキ液を流し出さなければならず、処理が面倒になる。
【００１５】
本発明では、外管の一端に排気ガス導入部を設けるとともに、外管の他端に排気ガス導出部を設けて、無電解ニッケル−リン層が成膜された後に、排気ガス導入部もしくは排気ガス導出部を下側に位置させて、連通した経路に付着した無電解ニッケル−リンメッキ液を下方に落下させることができるようにしている。また、外管の側部にそれぞれ冷却水流入管と冷却水流出管とを設けて、無電解ニッケル−リン層が成膜された後に、冷却水流入管もしくは冷却水流出管を下側に位置させて、連通した経路に付着した無電解ニッケル−リンメッキ液を下方に落下させることができるようにしている。このため、前述した２つの操作を行うことで、熱交換器本体の内部に残った無電解ニッケル−リンメッキ液を外部に流し出すことができる。
【００１６】
また、本発明では、前述した２つの操作を同時に行うようにすることもできる。この場合、排気ガス導入部と、排気ガス導出部とが上下に位置するように熱交換器本体を配置したときに、複数の伝熱管、外管、冷却水流入管と冷却水流出管の間の経路がすべて上方から下方に延びるように形成する。これによると、熱交換器本体を無電解ニッケル−リンメッキ液から取り出すときに、熱交換器本体の向きを一定にしたままで熱交換器本体内の無電解ニッケル−リンメッキ液を外部に流し出すことができる。このため、無電解メッキ工程での操作が容易になる。
【００１７】
本発明に係る自動車用排気系熱交換器の製造方法のさらに他の構成上の特徴は、無電解メッキ工程において、熱交換器本体を無電解ニッケル−リンメッキ液に浸漬するたびに、熱交換器本体を水洗いまたは大気中に放置する処理が行われることにある。
【００１８】
本発明によると、無電解ニッケル−リンメッキ層を複数層形成するために、熱交換器本体を無電解ニッケル−リンメッキ液に浸漬する際に、その都度、熱交換器本体を水洗いするか、または所定時間大気中に放置することで、各無電解ニッケル−リンメッキ層を他の無電解ニッケル−リンメッキ層から分離した層に形成することができる。このため、各無電解ニッケル−リンメッキ層にピンホールが発生したとしても、そのピンホールが連続したものになることをより確実に防止できる。なお、水洗いする場合も、その後熱交換器本体を乾燥することが好ましい。
【図面の簡単な説明】
【００１９】
【図１】本発明の一実施形態に係る熱交換器を示した斜視図である。
【図２】熱交換器を示した断面図である。
【図３】伝熱管を示した平面図である。
【図４】伝熱管を示した分解斜視図である。
【図５】メッキ層を示した断面図である。
【発明を実施するための形態】
【００２０】
以下、本発明の一実施形態を図面を用いて説明する。図１および図２は、本実施形態に係る熱交換器１０を示している。熱交換器１０は、自動車から排出される排気ガス中の窒素酸化物の低減や燃費改善の目的で用いられるもので、排気系配管の排気ガスを取り込んで冷却したのちに、吸気系配管に再循環させるためのものである。この熱交換器１０は、鉄材（例えばＳＰＣ２７０）からなっており、外管１１、導入側整流筒部１４、導出側整流筒部１５、導入側フランジ１６、導出側フランジ１７、冷却水流入管１８、冷却水流出管１９および７つの伝熱管２０で構成されている。
【００２１】
なお、以下の説明において、熱交換器１０の前後、左右、上下の各方向は、図１に基づいたものとし、導入側フランジ１６が位置する方向が前側、導出側フランジ１７が位置する方向が後側、冷却水流入管１８および冷却水流出管１９が位置する方向が右側で、外管１１の側面における冷却水流入管１８および冷却水流出管１９が設けられていない方が左側であるものとする。また、熱交換器１０の上下方向は、図１の上下と一致するものとする。
【００２２】
外管１１は、上下一対の外部ケース１２，１３を組み付けて四角筒状に形成されており、外部ケース１２，１３は、ともに断面形状がコ字状の略同形の部材で構成されている。外部ケース１２は、左右の幅よりも前後の長さが長い平面視が長方形の上面部１２ａの左右両側の縁部からそれぞれ側面部１２ｂを下方に延ばした形状をしている。外部ケース１３は、外部ケース１２と略上下対称に形成されており、下面部１３ａと、下面部１３ａの左右両側の縁部からそれぞれ上方に延びる側面部１３ｂとで構成されている。
【００２３】
また、側面部１２ｂの下端部と側面部１３ｂの上端部にはそれぞれ僅かな段差が設けられて、左右の側面部１２ｂの下端部間の間隔は、左右の側面部１３ｂの上端部間の間隔よりも少し狭くなっている。そして、左右の側面部１２ｂの下端部の両外側に左右の側面部１３ｂの上端部を位置させて、両端部は互いに接合された接合部１１ａを構成している。また、外部ケース１２の上面部１２ａの中央側部分には、位置合わせ用の凸部１２ｃが前後左右に一定間隔で４つ形成されている。
【００２４】
各凸部１２ｃは、上面部１２ａの上面側を凹状にし、上面部１２ａの下面側を凸状にすることで形成されている。また、下面部１３ａの中央側部分にも位置合わせ用の凸部１３ｃが前後左右に一定間隔で４つ（図２には２つしか図示していない。）形成されている。この凸部１３ｃは、下面部１３ａの上面側を凸状にし、下面部１３ａの下面側を凹状にすることで形成されている。凸部１２ｃと、凸部１３ｃは、外管１１を上下方向から見たときに重なって位置が一致するように配置されている。
【００２５】
導入側整流筒部１４は、後端から前端に向かうほど細径になった異形筒状の筒本体１４ａと、筒本体１４ａの後端に形成された四角接続部１４ｂと、筒本体１４ａの前端に形成された円形接続部１４ｃとで構成されている。筒本体１４ａは、後端開口が四角に形成され、前端開口が円形に形成されて、後端開口から前端開口に行くほど徐々に断面形状を変形させながら細径になっている。そして、四角接続部１４ｂは、外管１１の前端部と略同大の四角枠状に形成され、円形接続部１４ｃは円形枠状に形成されている。四角接続部１４ｂの外周面と、外管１１の内周面の前端部分とは接合されて接合部１４ｄを構成している。導出側整流筒部１５は、導入側整流筒部１４と前後対称の形状をしており、筒本体１５ａと、四角接続部１５ｂと、円形接続部１５ｃとで構成されている。四角接続部１５ｂの外周面と、外管１１の内周面の後端部分とは接合されて接合部１５ｄを構成している。
【００２６】
導入側フランジ１６は、略菱形のフランジ本体１６ａと筒状部１６ｂとで構成されている。フランジ本体１６ａは、正面視が左右よりも上下に長い略菱形の肉厚の板状に形成されており、中央部に前後に貫通する円形の開口１６ｃが形成され、開口１６ｃの上下にそれぞれ前後に貫通するネジ挿通穴１６ｄが形成されている。筒状部１６ｂは、開口１６ｃの周縁部から後方に延びており、内径が開口１６ｃの直径と同じで、外径が円形接続部１４ｃの内径と略同じに設定されている。この導入側フランジ１６は、筒状部１６ｂの外周面後部を円形接続部１４ｃの内周面に接合させて導入側整流筒部１４に連結されている。この導入側整流筒部１４と導入側フランジ１６とで本発明に係る排気ガス導入部が構成される。
【００２７】
導出側フランジ１７は、導入側フランジ１６と前後対称の形状をしており、開口（図示せず）および一対のネジ挿通穴１７ｄを備えたフランジ本体１７ａと、筒状部１７ｂとで構成されている。この導出側フランジ１７は、筒状部１７ｂの外周面前部を円形接続部１５ｃの内周面に接合させて導出側整流筒部１５に連結されている。これによって、導入側フランジ１６の開口１６ｃと導出側フランジ１７の開口とを連通する空間部が、外管１１、導入側整流筒部１４および導出側整流筒部１５の内部に形成される。この導出側整流筒部１５と導出側フランジ１７とで本発明に係る排気ガス導出部が構成される。
【００２８】
冷却水流入管１８は、外部ケース１３の右側の側面部１３ｂの前部側に形成された孔の縁部（図示せず）から右方向に水平に延びる筒状部で構成されており、外部から送られてくる冷却水を外管１１の内部に導くためのものである。冷却水流出管１９は、外部ケース１２の右側の側面部１２ｂの後部側に形成された孔の縁部（図示せず）から右方向に水平に延びる筒状部で構成されており、外管１１の内部の冷却水を外部に導くためのものである。
【００２９】
７つの伝熱管２０は、上下に積層された状態で、外管１１の内部に設置されており、それぞれが、図３および図４に示した構成をしている。各伝熱管２０は、上下に配置されて組み付けられるケース部材２１，２２と、組み付けられるケース部材２１，２２の内部に設置される伝熱フィン２３とで構成されている。ケース部材２１は、左右の幅よりも前後の長さが長い平面視が長方形の上面部２１ａの左右両側の縁部からそれぞれ高さが低い側面部２１ｂを下方に延ばし、上面部２１ａの前後両側の縁部に外側（上方および左右両側）に向かって膨らんだ被接合部２１ｃを形成した形状をしている。また、上面部２１ａの中央側部分には、位置合わせ用の凸部２１ｄが前後左右に一定間隔で４つ形成されている。各凸部２１ｄは、上面部２１ａの上面側を凸状にし、上面部２１ａの下面側を凹状にすることで形成されている。
【００３０】
ケース部材２２は、ケース部材２１と上下対称に形成されており、下面部２２ａと、下面部２２ａの左右両側の縁部からそれぞれ僅かに上方に延びる側面部２２ｂと、下面部２２ａの前後両側の縁部に形成された被接合部２２ｃとで構成されている。また、下面部２２ａの中央側部分には、位置合わせ用の凸部２２ｄが前後左右に一定間隔で４つ形成されている。各凸部２２ｄは、下面部２２ａの上面側を凹状にし、下面部２２ａの下面側を凸状にすることで形成されている。凸部２１ｄおよび凸部２２ｄは、それぞれ凸部１２ｃおよび凸部１３ｃと同じ間隔に配置されている。
【００３１】
伝熱フィン２３は、薄板を、プレス加工することによって断面形状がコ字状の凹部と凸部が左右に交互に位置するように形成されている。伝熱管２０は、伝熱フィン２３を内部に収容した状態で、ケース部材２１，２２を組み付けることで形成され、各伝熱管２０が上下に積層される。この場合、上方に位置する伝熱管２０の凸部２２ｄと、その下方に位置する伝熱管２０の凸部２１ｄが接するようにして各伝熱管２０が配置される。また、７つの伝熱管２０のうちの最上段の伝熱管２０の凸部２１ｄが、外部ケース１２の凸部１２ｃに接し、最下段の伝熱管２０の凸部２２ｄが、外部ケース１３の凸部１３ｃに接するようにして、７つの伝熱管２０は、外管１１内に設置されている。
【００３２】
この状態では、上方に位置する伝熱管２０の被接合部２２ｃと、その下方に位置する伝熱管２０の被接合部２１ｃとはそれぞれ接合されている。また、最上段の伝熱管２０の被接合部２１ｃは、外部ケース１２の下面に接合され、最下段の伝熱管２０の被接合部２２ｃは、外部ケース１３の上面に接合されている。これによって、導入側フランジ１６の開口１６ｃと導出側フランジ１７の開口とは、７つの伝熱管２０の内部を介して連通し、冷却水流入管１８と冷却水流出管１９は、各伝熱管２０の間および外管１１と伝熱管２０の間の空間を介して連通している。
【００３３】
また、このように構成された熱交換器１０の熱交換器本体１０ａの各部分のすべての外面および内面には、図５に示したメッキ層２５ａ，２５ｂ，２５ｃが形成されている。なお、熱交換器本体１０ａは、熱交換器１０からメッキ層２５ａ，２５ｂ，２５ｃを除いた部分である。メッキ層２５ａ，２５ｂ，２５ｃは、すべて無電解ニッケル−リンからなっており、それぞれの厚みは、１μｍ〜５μｍ程度になっている。また、メッキ層２５ａ，２５ｂ，２５ｃには、それぞれピンホール２６が発生しているが、各ピンホール２６はそれぞれ異なる位置に発生し、熱交換器本体１０ａの表面と大気の間を連通するものは生じていない。
【００３４】
つぎに、熱交換器１０を製造する方法を説明する。まず、メッキ層２５ａ，２５ｂ，２５ｃを形成する前の外管１１、導入側整流筒部１４、導出側整流筒部１５、導入側フランジ１６、導出側フランジ１７、冷却水流入管１８、冷却水流出管１９および７つの伝熱管２０を組み付けて、熱交換器本体１０ａを形成する。この場合、伝熱フィン２３を内部に収容した状態でケース部材２１，２２を組み付けて、７つの伝熱管２０をそれぞれ仮止めし、各伝熱管２０を上下に積層する。このとき、上方に位置する伝熱管２０の凸部２２ｄと、その下方に位置する伝熱管２０の凸部２１ｄとが対向するようにするとともに、上方に位置する伝熱管２０の被接合部２２ｃと、その下方に位置する伝熱管２０の被接合部２１ｃとの間にロウ材を設置する。このロウ材としては、例えば、ニッケルに、リン、シリコン、クロムを加えた合金を用いる。
【００３５】
つぎに、７つの伝熱管２０の積層体を内部に収容した状態で、外部ケース１２，１３を組み付けて四角筒状の外管１１を形成する。このとき、最上段の伝熱管２０の凸部２１ｄが外部ケース１２の凸部１２ｃに接し、最下段の伝熱管２０の凸部２２ｄが外部ケース１３の凸部１３ｃに接するようにするとともに、最上段の伝熱管２０の被接合部２１ｃと外部ケース１２の下面との間および最下段の伝熱管２０の被接合部２２ｃと外部ケース１３の上面との間にそれぞれロウ材を設置する。
【００３６】
ついで、外管１１の前端開口内に、導入側整流筒部１４の四角接続部１４ｂを入れてその境界部にロウ材を設置するとともに、導入側整流筒部１４の円形接続部１４ｃ内に、導入側フランジ１６の筒状部１６ｂの後部を入れてその境界部にロウ材を設置する。同様に、外管１１の後端開口内に、導出側整流筒部１５の四角接続部１５ｂを入れてその境界部にロウ材を設置するとともに、導出側整流筒部１５の円形接続部１５ｃ内に、導出側フランジ１７の筒状部１７ｂの前部を入れてその境界部にロウ材を設置する。そして、外管１１の外部ケース１２，１３にそれぞれ形成された孔に冷却水流入管１８の基端部と冷却水流出管１９の基端部を組み付けるとともに、それらの境界部にロウ材を設置する。これによって仮止めされた熱交換器本体１０ａが形成される。
【００３７】
つぎに、仮止めされた熱交換器本体１０ａを加熱して、各部材の被接合部分をロウ付けによって固定する処理が行われる。この処理は、仮止めされた熱交換器本体１０ａを、真空加熱炉内で、１０５０℃〜１２００℃の温度で、５分〜３０分加熱したのちに、冷却することで行われ、これによって、熱交換器本体１０ａが得られる。ロウ付けの際に、ロウ材は、接合される各部材の接合部の隙間にまんべんなく浸入したのちに固化するため、各部材間の接合部には隙間がなくなる。このため、導入側フランジ１６の開口１６ｃと導出側フランジ１７の開口との間には、７つの伝熱管２０の内部を介して連通する密閉された排ガス用の通路が形成され、冷却水流入管１８と冷却水流出管１９との間には、各伝熱管２０の間および外管１１と伝熱管２０の間の空間を介して連通する密閉された冷却水用の通路が形成される。
【００３８】
ついで、熱交換器本体１０ａを、液体のアルカリ性脱脂剤に浸漬して、熱交換器本体１０ａの表面および内面を脱脂したのちに、酸洗いする前処理を行う。これによって、熱交換器本体１０ａの表面および内面から汚れ、酸化被膜、錆等が除去され、熱交換器本体１０ａはメッキ処理を行いやすい状態になる。
【００３９】
つぎに、熱交換器本体１０ａの表面および内面に、無電解ニッケル−リンからなるメッキ層２５ａを形成する無電解メッキ工程を行う。この無電解メッキ工程は、リンの含有量が９％〜１３％のメッキ液に熱交換器本体１０ａを浸漬することによって行われる。また、熱交換器本体１０ａをメッキ液から取り出す際には、導入側フランジ１６と導出側フランジ１７との一方が上方に位置し、他方が下方に位置するようにして上昇させたのちに、冷却水流入管１８と冷却水流出管１９を下方に向けて導入側フランジ１６と導出側フランジ１７とを水平方向に向ける。これによって、熱交換器本体１０ａの内部、特に、メッキ液が内部に残りやすい伝熱管２０の外側のメッキ液を熱交換器本体１０ａの外部に流し出すことができる。
【００４０】
これによって形成されるメッキ層２５ａにおけるリンの含有量は、９％〜１３％程度になる。これによって、図５に示したように、熱交換器本体１０ａの表面および内面はメッキ層２５ａによって被覆される。また、ピンホール２６を生じさせることなくメッキ層２５ａを形成することは難しく、メッキ層２５ａ内には、多少のピンホール２６が発生する。このようにして、メッキ層２５ａが形成された熱交換器本体１０ａは、水洗いをしたのちに乾燥する。このような無電解メッキ工程を繰り返して、メッキ層２５ａの表面に、メッキ層２５ｂを形成し、さらにメッキ層２５ｂの表面にメッキ層２５ｃを形成する。これによって、熱交換器１０が得られる。
【００４１】
メッキ層２５ｂおよびメッキ層２５ｃにもそれぞれピンホール２６が発生するおそれがあるが、本実施形態では、メッキ層２５ａ，２５ｂ，２５ｃを異なる３回の処理で形成しているため、このようなピンホール２６がメッキ層２５ａ，２５ｂ，２５ｃの同じ場所に連続して発生する可能性は極めて低い。このため、熱交換器本体１０ａの表面および内面は、メッキ層２５ａ，２５ｂ，２５ｃによって略完全に被覆されて大気から保護される。
【００４２】
このように、本実施形態では、熱交換器本体１０ａを構成する各部分を鉄材で構成している。このため、熱交換器１０の低コスト化が図れる。そして、熱交換器１０の製造に際しては、外管１１、導入側整流筒部１４、導出側整流筒部１５等の複数の部材の接続部分にロウ材を塗布して仮組み付けしたのちに、熱処理して熱交換器本体１０ａを形成し、この熱交換器本体１０ａの各内外面にメッキ層２５ａ，２５ｂ，２５ｃを形成している。このように、熱交換器本体１０ａをロウ付けによって組み付けたのちに、メッキ層２５ａ，２５ｂ，２５ｃを形成することで、メッキ層２５ａ，２５ｂ，２５ｃにロウ付けによる影響が及ぶことがなくなり、メッキ層２５ａ，２５ｂ，２５ｃの耐食性が低下することを防止できる。
【００４３】
また、鉄材は不働体皮膜の除去が容易であるため、メッキを施す前の前処理が容易になる。さらに、無電解ニッケル−リンからなるメッキ層２５ａ，２５ｂ，２５ｃには、それぞれピンホール２６が生じやすいが、３層からなるメッキ層２５ａ，２５ｂ，２５ｃを形成することで、熱交換器本体１０ａの表面からメッキ層２５ｃの表面まで貫通したピンホール２６が発生することを防止できる。これによって、耐食性のよいメッキ層２５ａ，２５ｂ，２５ｃを形成することができる。
【００４４】
また、本実施形態では、メッキ液に含まれるリンの含有量を９％〜１３％にしている。これによると、熱交換器本体１０ａを鉄材で構成しても、その表面には、耐食性に優れた高リンのメッキ層２５ａ，２５ｂ，２５ｃが形成されるため、長時間の使用に耐えることのできる熱交換器１０を得ることができる。さらに、本実施形態では、３層からなるメッキ層２５ａ，２５ｂ，２５ｃを形成するために、無電解メッキ工程を３回繰り返し、各工程の間に、メッキ層２５ａまたはメッキ層２５ａ，２５ｂが形成された熱交換器本体１０ａを水洗いするようにしている。このため、メッキ層２５ａ，２５ｂ，２５ｃをそれぞれ分離された層にすることができ、メッキ層２５ａ，２５ｂ，２５ｃにそれぞれピンホール２６が発生したとしても、そのピンホール２６が連続したものになることをより確実に防止できる。
【００４５】
また、図示は省略するが、前述した実施形態の変形例として、熱交換器１０の冷却水流入管１８と冷却水流出管１９の少なくとも一方、例えば、冷却水流入管１８を外管１１の前端部に連結するとともに、冷却水流入管１８の先端部が基端部よりも前方に位置するように傾斜させることができる。これによると、熱交換器本体１０ａをメッキ液から取り出すときに、熱交換器本体１０ａの向きを変更することなく、導入側フランジ１６を下方、導出側フランジ１７を上方に位置させた一定の姿勢のまま持ち上げることで、熱交換器本体１０ａ内のメッキ液を外部に流し出すことができる。このため、無電解メッキ工程での操作が容易になる。
【００４６】
さらに、冷却水流入管１８に代えて、冷却水流出管１９を、外管１１の後端部に連結するとともに、冷却水流出管１９の先端部が基端部よりも後方に位置するように傾斜させてもよい。また、これらの場合、冷却水流入管１８と冷却水流出管１９は平行するように傾斜させることが好ましい。
【００４７】
また、本発明は、前述した実施形態に限るものでなく適宜、変更実施が可能である。例えば、前述した実施形態では、熱交換器本体１０ａを構成する鉄材を、ＳＰＣ２７０としているが、これに限らず、他のＳＰＣ（冷間圧延鋼材）でもよいし、ＳＰＨ（熱間圧延鋼材）でもよく、さらに他の鉄や鋼でもよい。また、前述した実施形態では、３層からなるメッキ層２５ａ，２５ｂ，２５ｃを形成しているが、メッキ層は２層であってもよいし、４層以上で構成してもよい。また、熱交換器を構成する各部分についても本発明の技術的範囲内で変更が可能である。
【符号の説明】
【００４８】
１０…熱交換器、１０ａ…熱交換器本体、１１…外管、１１ａ，１４ｄ，１５ｄ…接合部、１４…導入側整流筒部、１５…導出側整流筒部、１６…導入側フランジ、１７…導出側フランジ、１８…冷却水流入管、１９…冷却水流出管、２０…伝熱管、２１ｃ，２２ｃ…被接合部、２５ａ，２５ｂ，２５ｃ…メッキ層。
【図１】
2018048354.tif 000003
【図２】
2018048354.tif 000004
【図３】
2018048354.tif 000005
【図４】
2018048354.tif 000006
【図５】
2018048354.tif 000007